(57)【要約】【課題】表示部８０１の表示スペースが限られていても、プリセット調整スイッチ８０５により一括して設定されたチャンネル、変調方式以外の伝送パラメータを、表示部８０１に表示させることができる伝送装置を提供することを目的とする。【解決手段】ＵＰスイッチ８０２、ＤＯＷＮスイッチ８０３の操作に応じて表示部８０１の表示内容を切り換えるようにＣＰＵが制御することにより、設定された伝送パラメータの内、主要な伝送パラメータを電源立ち上げ時に表示部８０１に表示させ、電源立ち上げ時に表示されない伝送パラメータについてはＵＰスイッチ８０２を操作したとき表示部８０１に表示させる。そして、ＤＯＷＮスイッチ８０３を操作したとき、電源立ち上げ時の表示画面に戻るように表示部８０１をＣＰＵが制御する。【選択図】図８
2006254130.tif 000002
【特許請求の範囲】
【請求項１】
複数の伝送モードを有し、該伝送モードを切り換えて送信側から受信側へ信号伝送を行う伝送装置の表示方法であって、
上記送信側もしくは上記受信側で、上記伝送モードと共に設定された複数の伝送パラメータを表示画面上に表示する際、設定された上記伝送モードに応じて、表示される上記伝送パラメータを対応する伝送パラメータに切換表示することを特徴とする表示方法。
【請求項２】
送信側から受信側へ信号伝送を行う伝送装置の表示方法において、
上記送信側もしくは上記受信側で、複数の伝送パラメータを表示画面に表示する際、所定の表示画面切換操作に応じ、所定の伝送パラメータを表示する表示画面と、該所定の伝送パラメータ以外の伝送パラメータを表示する表示画面とを切り換えることを特徴とする表示方法。
【請求項３】
請求項１乃至２において、
上記送信側もしくは上記受信側で、所定の表示画面切換操作に応じ、上記表示画面上に、発生した所定のエラーまたは所定のアラームの内の少なくとも一方の内容を表示することを特徴とする表示方法。
【発明の詳細な説明】
【技術分野】
【０００１】
本発明は、デジタル方式、アナログ方式等、複数の伝送モードを有する伝送装置に係り、更に詳しくは、各伝送モードにおける変復調方式等の伝送パラメータの表示に関するものである。
【背景技術】
【０００２】
従来の一例である単一モードの伝送装置について、図１６を用いて説明する。図１６は従来の一例である単一モードの伝送装置の構成を示すブロック図である。送信側装置は送信制御部１６０１と送信高周波部１６０２とから構成されており、受信側装置は受信高周波部１６０３と受信制御部１６０４とから構成されている。送信制御部１６０１は、入力信号である映像信号、音声信号を所定の変調モード（例えば、６４ＱＡＭ（Quadrature Amplitude Modulation）方式）で変調し、ＩＦ（Intermediate Frequency：中間周波数）帯に周波数変換する。送信高周波部１６０２は、ＩＦ信号（ＩＦ帯に周波数変換された信号）をＲＦ（Radio Frequency：無線周波数）信号まで周波数変換し、電力増幅して送信する。受信高周波部１６０３は、ＲＦ信号を受信後、低雑音増幅、受信レベル制御を行い、周波数変換することでＩＦ信号に変換する。そして、受信制御部１６０４は、ＩＦ信号を所定の復調モード（例えば、６４ＱＡＭ方式）で復調することにより得られた映像信号、音声信号を出力する。そして、送信制御部１６０１の表示部には、例えば、伝送ビットレート、変調方式、使用するチャンネルを、受信制御部１６０４の表示部には、例えば、伝送ビットレート、復調方式、使用するチャンネルを表示する。
【特許文献１】特開２００３−１１５７８７号公報
【非特許文献１】テレビジョン放送番組素材伝送用可搬形ＯＦＤＭ方式デジタル無線伝送システムの規格ＡＲＩＢ  ＳＴＤ−Ｂ３３
【非特許文献２】テレビジョン放送番組素材伝送用可搬形マイクロ波帯デジタル無線伝送システムの規格ＡＲＩＢ  ＳＴＤ−Ｂ１１
【発明の開示】
【発明が解決しようとする課題】
【０００３】
前述の従来の伝送装置では、送信側装置では、伝送ビットレート、変調モード、使用するチャンネルを、受信側装置では、伝送ビットレート、復調モード、使用するチャンネルを表示するものの、他の伝送パラメータについては、表示部の表示スペースが限られていることにより表示していないため、送信側装置から受信側装置へ放送素材を無線伝送する前に変復調モード等の伝送パラメータを設定する際、伝送ビットレート、変復調モード、使用するチャンネル以外の伝送パラメータが表示されないため、伝送パラメータの設定が行いにくいという欠点がある。
【０００４】
そこで本発明では、前述の不具合を除去するために、表示部の表示スペースが限られていても、伝送ビットレート、変復調モード、使用するチャンネル以外の伝送パラメータを表示することができる伝送装置を提供することを目的とする。
【課題を解決するための手段】
【０００５】
本発明は前述の目的を達成するため、複数の伝送モードを有し、該伝送モードを切り換えて送信側から受信側へ信号伝送を行う伝送装置の表示方法であって、上記送信側もしくは上記受信側で、上記伝送モードと共に設定された複数の伝送パラメータを表示画面（ＣＲＴ（Cathode Ray Tube）表示画面だけでなく、ＬＥＤ（Light Emitting Diode）表示画面等も含む）上に表示する際、設定された上記伝送モードに応じて、表示される上記伝送パラメータを対応する伝送パラメータに切換表示するようにしたものである。
【０００６】
更に、送信側から受信側へ信号伝送を行う伝送装置の表示方法において、上記送信側もしくは上記受信側で、複数の伝送パラメータを表示する際、所定の表示画面切換操作に応じ、所定の伝送パラメータを表示する表示画面と、該所定の伝送パラメータ以外の伝送パラメータを表示する表示画面とを切り換えるようにしたものである。
【０００７】
更に、上記送信側もしくは上記受信側で、所定の表示画面切換操作に応じ、上記表示画面上に、発生した所定のエラー（通信不良）または所定のアラーム（送信側もしくは受信側での各ユニットの不具合）の内の少なくとも一方の内容を表示する（如何なる通信不良が発生したかと、もしくは送信側、受信側ユニットで如何なる不具合が発生したかの少なくとも一方を表示する）ようにしたものである。
【発明の効果】
【０００８】
本発明によれば、伝送モードに応じた伝送パラメータを表示することにより、各伝送モードでの伝送パラメータの設定を容易に行うことができる。
更に、所定の表示画面切換操作に応じ、所定の伝送パラメータを表示する表示画面と、該所定の伝送パラメータ以外の伝送パラメータを表示する表示画面とを切り換えることにより、表示画面の表示スペースが限られていても、伝送ビットレート、変復調モード、使用するチャンネル以外の伝送パラメータを表示させることができる。
【０００９】
更に、所定の表示切換手段の操作に応じ、表示画面上に、発生した所定のエラーまたは所定のアラームの内の少なくとも一方の内容を表示することにより、表示画面の表示スペースが限られていても、エラー内容、アラーム内容を表示させることができる。
【発明を実施するための最良の形態】
【００１０】
本実施例の伝送装置の概略構成及び動作について、図１、２を用いて説明する。本実施例の伝送装置では、送信側装置の場合、まず、扱者が操作パネル１０１を操作することにより、設定された伝送モード（送信側装置では、変調方式）、伝送パラメータはＣＰＵ１０２に記憶される。そして、記憶された伝送モード、伝送パラメータで無線伝送を行わせるようにＣＰＵ１０２は各スイッチ、各信号処理部を制御する。例えば、本実施例の送信側装置ではシングルＱＡＭ方式、ＯＦＤＭ（Orthogonal Frequency Division Multiplexing）方式、アナログ変調方式の伝送モードを有していることにより、伝送モードに応じて、アナログ／デジタル選択スイッチ１０３、１０４、シングルＱＡＭ／ＯＦＤＭ選択スイッチ１０５、１０６を制御することにより、伝送モードに応じた信号処理を行わせるように信号経路を切り換える。信号経路が切り換えられることにより、シングルＱＡＭ方式処理部１０７、ＯＦＤＭ方式処理部１０８には、ＭＰＥＧ（Moving Picture Experts Group）エンコーダ１０９で生成されたＴＳ（Transport Stream）形式のデジタル信号Ｄが入力され、アナログ方式処理部１１０には標準テレビ信号（以下、ＮＴＳＣ（National Television Standards Committee）映像信号と称する）とアナログ音声信号が入力される。なお、ＴＳ形式のデジタル信号Ｄは、ＳＤＩ（Serial Digital Interface）信号（デジタル映像信号）と、オーディオＡ／Ｄ１１１でＡ／Ｄ変換された音声信号とが、ＭＰＥＧ−２符号化方式で符号化され多重されることにより生成される。そして、シングルＱＡＭ方式処理部１０７、ＯＦＤＭ方式処理部１０８からの出力信号は、Ｄ／Ａコンバータ１１２でＤ／Ａ変換されると共に局部発振器１１３出力の局発信号と混合されることで、例えば周波数１３０ＭＨｚのＩＦ信号に変換され送信高周波部１１４に出力される。一方、アナログ方式処理部１１０からの出力信号は、直接、送信高周波部１１４に出力される。なお、アナログ方式処理部１１０からの出力信号も、例えば周波数１３０ＭＨｚのＩＦ信号である。送信高周波部１１４では、ＩＦ信号をＲＦ信号に周波数変換して、送信する。
【００１１】
更に、操作パネル１０１で設定された伝送パラメータに従って、ＣＰＵ１０２はシングルＱＡＭ方式処理部１０７、ＯＦＤＭ方式処理部１０８、アナログ方式処理部１１０を制御すると共に、シングルＱＡＭ方式処理部１０７、ＯＦＤＭ方式処理部１０８、アナログ方式処理部１１０の動作状態を監視する。この監視により、受信側装置との通信不良状態（以下、エラーと称する）、各信号処理部（シングルＱＡＭ方式処理部１０７、ＯＦＤＭ方式処理部１０８、アナログ方式処理部１１０）内のユニットの不具合状態（以下、アラームと称する）が発生する毎にＣＰＵ１０２は如何なるエラー、アラームが発生したか（以下、エラー内容、アラーム内容と称する）を記憶する。そして、扱者が操作パネル１０１を操作したときにエラー内容、アラーム内容を操作パネル１０１に表示させる。
【００１２】
受信側装置の場合も同様にして、扱者が操作パネル２０１を操作することにより、設定された伝送モード（受信側装置では、復調方式）、伝送パラメータはＣＰＵ２０２に記憶される。そして、記憶された伝送モード、伝送パラメータで信号処理させるようにＣＰＵ２０２は、アナログ／デジタル選択スイッチ２０３、２０４、シングルＱＡＭ／ＯＦＤＭ選択スイッチ２０５、２０６、シングルＱＡＭ方式処理部２０７、ＯＦＤＭ方式処理部２０８、アナログ方式処理部２０９を制御する。受信したＲＦ信号は受信高周波部２１０で例えば、１３０ＭＨｚのＩＦ信号に変換された後、局部発振器２１１出力の局発信号と混合されると共にＡ／Ｄコンバータ２１２でＡ／Ｄ変換され、シングルＱＡＭ方式処理部２０７、またはＯＦＤＭ方式処理部２０８に入力される。シングルＱＡＭ方式処理部２０７、またはＯＦＤＭ方式処理部２０８で、所定の復調方式で復調処理することにより、ＴＳ形式のデジタル信号Ｄが出力される。なお、シングルＱＡＭ方式処理部２０７、ＯＦＤＭ方式処理部２０８からのＴＳ形式のデジタル信号Ｄは、ＭＰＥＧデコーダ部２１３でＭＰＥＧエンコーダ１０９と逆の処理を行うことにより、ＳＤＩ信号（デジタル映像信号）とデジタル音声信号が出力される。デジタル音声信号は、オーディオＤ／Ａ２１４でアナログ音声信号に変換される。更に、前述の１３０ＭＨｚのＩＦ信号（受信高周波部２１０の出力信号）は、アナログ方式処理部２０９に入力されることで、アナログ復調処理されることにより、アナログ方式処理部２０９からはＮＴＳＣ映像信号とアナログ音声信号が出力される。
【００１３】
更に、操作パネル２０１で設定された伝送パラメータに従って、ＣＰＵ２０２はシングルＱＡＭ方式処理部２０７、ＯＦＤＭ方式処理部２０８、アナログ方式処理部２０９を制御すると共に、シングルＱＡＭ方式処理部２０７、ＯＦＤＭ方式処理部２０８、アナログ方式処理部２０９の動作状態を監視する。この監視により、エラー、アラームが発生する毎にＣＰＵ２０２はエラー内容、アラーム内容を記憶する。そして、扱者が操作パネル２０１を操作したときにエラー内容、アラーム内容を操作パネル２０１に表示させる。
【００１４】
以下、設定された伝送パラメータに従って動作する送信側装置、受信側装置の各信号処理部（シングルＱＡＭ方式処理部１０７、２０７、ＯＦＤＭ方式処理部１０８、２０８、アナログ方式処理部１１０、２０９）の構成、動作について、図３〜６を用いて説明する。まず、送信側装置の場合で説明する。シングルＱＡＭ方式処理部１０７は、エネルギー拡散部３０１、符号化部３０２、インターリーブ部３０３、スタッフィング挿入部３０４、ＱＡＭマッピング部３０５、直交変調部３０６より構成されている。ＭＰＥＧエンコーダ１０９より出力されたＴＳ形式のデジタル信号Ｄは、入力端子３０７より入力された後、エネルギー拡散部３０１で、例えば擬似ランダム系列加算でエネルギー拡散を行い、符号化部３０２に出力される。符号化部３０２は、操作パネル１０１で誤り訂正符号付加処理を行わせるように設定されたとき、ＣＰＵ１０２の制御により誤り訂正符号を付加してインターリーブ部３０３に出力する。例えばＲＳ（Reed-Solomon）符号化により１８８バイトの１ＴＳパケット毎に１６バイトの誤り訂正符号を付加してインターリーブ部３０３に出力する。逆に、操作パネル１０１で誤り訂正符号付加処理を行わないように設定されたとき、ＣＰＵ１０２の制御により誤り訂正符号を付加せずにインターリーブ部３０３に出力する。インターリーブ部３０３は、操作パネル１０１でインターリーブ処理を行わせるように設定されたとき、ＣＰＵ１０２の制御によりインターリーブ処理を行ってスタッフィング挿入部３０４に出力する。即ち、符号化部３０２からの出力信号のデータの並べ替えを行ってスタッフィング挿入部３０４に出力する。逆に、操作パネル１０１でインターリーブ処理を行わせないように設定されたとき、ＣＰＵ１０２の制御により符号化部３０２からの出力信号のデータの並べ替えを行わずにスタッフィング挿入部３０４に出力する。スタッフィング挿入部３０４は、非特許文献２（テレビジョン放送番組素材伝送用可搬形マイクロ波帯デジタル無線伝送システムの規格ＡＲＩＢ  ＳＴＤ−Ｂ１１）により、図７の通り、操作パネルで設定された伝送ビットレートによってダミーデータ挿入の有無が決まるため、ダミーデータの挿入が必要な伝送ビットレートの場合、ＣＰＵ１０２の制御によりダミーデータを付加してＱＡＭマッピング部３０５に出力する。逆に、ダミーデータの挿入が不必要な伝送ビットレートの場合、ＣＰＵ１０２の制御によりダミーデータを付加することなくＱＡＭマッピング部３０５に出力する。ＱＡＭマッピング部３０５は、ＣＰＵ１０２の制御により操作パネル１０１で設定された変調モードに従ってマッピング処理を行う。例えば、変調モードが６４ＱＡＭの場合、同相成分の信号Ｉと直交成分の信号Ｑで表されるＩ−Ｑ座標軸上に６４ポイントのマッピングを行う。マッピングを行った後、直交変調部３０６で、例えば周波数１３０ＭＨｚのＩＦ信号に変換して出力端子３０８に出力する。出力端子３０８に出力されたＩＦ信号は送信高周波部１１４に出力される。
【００１５】
以上のように、送信側装置において、シングルＱＡＭ方式の場合、誤り訂正符号の付加の有無、インターリーブ処理の有無、伝送ビットレート、変調モードが操作パネル１０１で設定され、この設定された伝送パラメータに従ってシングルＱＡＭ方式処理部１０７は動作する。なお、誤り訂正符号の付加の有無、インターリーブ処理の有無、伝送ビットレート、変調モードは、操作パネル１０１のプリセット調整ツマミにより一括して設定され、操作パネル１０１の表示部に表示される（プリセット調整ツマミ、表示部については、後述する）。
【００１６】
ＯＦＤＭ方式処理部は、スクランブル処理部４０１、エネルギー拡散部４０２、符号化部４０３、インターリーブ部４０４、マッピング部４０５、フレーム生成部４０６、ＩＦＦＴ（Inverse Fast Fourier Transform）部４０７、ガード付加部４０８、直交変調部４０９より構成されている。ＭＰＥＧエンコーダ１０９より出力されたＴＳ形式のデジタル信号Ｄは、入力端子４１０より入力された後、スクランブル処理部４０１に入力される。スクランブル処理部４０１は、操作パネル１０１でスクランブル処理（撹拌処理）するように設定されたとき、ＣＰＵ１０２の制御によりスクランブル処理を行って、エネルギー拡散部４０２に出力する。逆に、操作パネル１０１でスクランブル処理を行わないように設定されたとき、ＣＰＵ１０２の制御によりスクランブル処理を行わずにエネルギー拡散部４０２に出力する。エネルギー拡散部４０２は、例えば擬似ランダム系列加算でエネルギー拡散を行い、符号化部４０３に出力する。符号化部４０３は、ＣＰＵ１０２の制御により操作パネル１０１で設定された符号化率で畳み込み符号化してインターリーブ部４０４に出力する。インターリーブ部４０４は、操作パネルで設定されたインターリーブ時間でインターリーブ処理を行わせるようにＣＰＵ１０２の制御によりインターリーブ処理を行ってマッピング部４０５に出力する。即ち、符号化部４０３からの出力信号のデータの並べ替えを、操作パネル１０１で設定されたインターリーブ時間で行ってマッピング部４０５に出力する。マッピング部４０５は、ＣＰＵ１０２の制御により操作パネル１０１で設定されたキャリア変調モードに従ってマッピングを行う。例えば、キャリア変調モードが６４ＱＡＭの場合、各キャリアに割り当てる６ビットのデータを指定することにより、同相成分の信号Ｉと直交成分の信号Ｑで表されるＩ−Ｑ座標軸上に６４ポイントのマッピングを行う。マッピングを行った後、フレーム生成部４０６でＯＦＤＭフレームを生成する。フレーム生成部４０６は、ＯＦＤＭフレームを生成するにあたり、操作パネル１０１でＡＣ（Auxiliary Channel）キャリア、ＣＰ（Continual Pilot）キャリアを付加するように設定されたとき、ＣＰＵ１０２の制御によりＡＣキャリア、ＣＰキャリアを付加する。逆に、操作パネル１０１でＡＣキャリア、ＣＰキャリアを付加しないように設定されたとき、ＣＰＵ１０２の制御によりＡＣキャリア、ＣＰキャリアを付加しない。なお、ＯＦＤＭフレームはマッピング部４０５出力のデータを伝送するキャリアであるＤａｔａキャリアの他に、ＡＣキャリア、ＣＰキャリアを有する場合が有り、非特許文献１（テレビジョン放送番組素材伝送用可搬形ＯＦＤＭ方式デジタル無線伝送システムの規格ＡＲＩＢ  ＳＴＤ−Ｂ３３）に記載の通り、ＡＣキャリアは付加情報を伝送するためのキャリア、ＣＰキャリアは８キャリア毎に配置されたパイロット信号を伝送するためのキャリアである（受信側装置では、送信側装置から伝送されるパイロット信号と同一の信号を有しており、この信号と送信側装置から伝送されたパイロット信号とを比較することで得た信号劣化によるマッピング点のずれを基にＤａｔａキャリアで伝送されたデータの補正を行う）。従って、付加情報を伝送する場合に��ＡＣキャリアを付加するように操作パネル１０１で設定し、Ｄａｔａキャリアで伝送されたデータの補正を行う場合にはＣＰキャリアを付加するよう操作パネル１０１で設定する。生成されたＯＦＤＭフレームは、ＩＦＦＴ部４０７で逆高速フーリエ変換することで時間軸波形に変換し、ガード付加部４０８に出力する。ガード付加部４０８は時間軸波形の各有効シンボルの先頭にガードインターバル（各有効シンボルの末尾を含む所定期間の時間軸波形）を付加することによりＯＦＤＭ信号を生成する。なお、ガードインターバルを付加するにあたり、ＣＰＵ１０２の制御により操作パネル１０１で設定されたガードインターバル比に従ってガードインターバルが付加される。ガード付加部４０８で生成されたＯＦＤＭ信号は、直交変調部４０９で、例えば周波数１３０ＭＨｚのＩＦ信号に変換して出力端子４１１に出力する。出力端子４１１に出力されたＩＦ信号は送信高周波部１１４に出力される。
【００１７】
以上のように、送信側装置において、ＯＦＤＭ方式の場合、スクランブル処理の有無、符号化率、インターリーブ時間、変調モード、ＡＣキャリアもしくはＣＰキャリアの有無、ガードインターバル比が操作パネル１０１で設定され、この設定された伝送パラメータに従ってＯＦＤＭ方式処理部１０８は動作する。なお、スクランブル処理の有無、符号化率、インターリーブ時間、変調モード、ＡＣキャリアもしくはＣＰキャリアの有無、ガードインターバル比は、操作パネル１０１のプリセット調整ツマミにより一括して設定され、操作パネル１０１の表示部に表示される（プリセット調整ツマミ、表示部については、後述する）。
【００１８】
アナログ方式処理部１１０は、アナログＦＭ変調部で構成されており、アナログＦＭ変調部はＮＴＳＣ映像信号とアナログ音声信号をＦＭ変調することで、例えば周波数１３０ＭＨｚのＩＦ信号に変換して出力する。なお、アナログ方式処理部の場合、チャンネル、送信出力等の伝送パラメータは操作パネル１０１で設定されると共に表示されるものの、シングルＱＡＭ方式、ＯＦＤＭ方式の様に、操作パネル１０１のプリセット調整ツマミにより一括して設定される伝送パラメータは存在しない（プリセット調整ツマミについては、後述する）。
【００１９】
次に、受信側装置での各信号処理部（シングルＱＡＭ方式処理部２０７、ＯＦＤＭ方式処理部２０８、アナログ方式処理部２０９）の構成、動作について説明する。シングルＱＡＭ方式処理部２０７は、直交復調部５０１、波形等化部５０２、スタッフィング除去部５０３、デインターリーブ部５０４、復号化部５０５、エネルギー逆拡散部５０６より構成されている。Ａ／Ｄコンバータ２１２より出力されたＩＦ信号が入力端子５０７より入力された後、直交復調部５０１に出力される。直交復調部５０１は、ＣＰＵ２０２の制御により操作パネル２０１で設定された復調モードに従って、直交変調部３０６で直交変調された信号を同相成分のＩ信号と直交成分のＱ信号に復調して波形等化部５０２に出力する。例えば、復調モードが６４ＱＡＭの場合、６４ＱＡＭで復調することで得た同相成分のＩ信号と直交成分のＱ信号を波形等化部５０２に出力する。波形等化部５０２は、ＱＡＭ変調方式などの振幅変調を含む方式の場合、伝送路の特性や減衰のため、伝送される信号の波形が歪むので、この歪を除去するための波形等化を行うものである。この波形等化部５０２は、一般的にデジタルフィルタで構成される。波形等化が行われた後、スタッフィング除去部５０３に入力されることにより、ダミーデータが挿入されている場合にはダミーデータが除去される。なお、操作パネル２０１で設定された伝送ビットレートによってダミーデータが挿入されているか否かが決まるため、ダミーデータが挿入される場合の伝送ビットレートに設定されていたとき、ＣＰＵ２０２の制御により、送信側装置のスタッフィング挿入部で付加されたダミーデータを除去して、デインターリーブ部５０４に出力する。逆に、ダミーデータが挿入されない場合の伝送ビットレートに設定されていたとき、ＣＰＵ２０２の制御により、ダミーデータがないことでデータの除去処理を行わずデインターリーブ部５０４に出力する。デインターリーブ部５０４は、操作パネル２０１でデインターリーブ処理を行わせるように設定されたとき、ＣＰＵ２０２の制御によりデインターリーブ処理を行うことで、送信側装置のインターリーブ部３０３でインターリーブされる前の信号配列に戻し、復号化部５０５に出力する。逆に、操作パネル２０１でデインターリーブ処理を行わないように設定されたとき、ＣＰＵ２０２の制御によりデインターリーブ処理を行わずに復号化部５０５に出力する。復号化部５０５は、操作パネル２０１で誤り訂正処理を行うように設定されたとき、ＣＰＵ２０２の制御により送信側装置の符号化部３０２で付加された誤り訂正符号を用いて誤り訂正処理を行い、エネルギー逆拡散部５０６に出力する。逆に、操作パネル２０１で誤り訂正を行わないように設定されたとき、ＣＰＵ２０２の制御により誤り訂正処理を行わずにエネルギー逆拡散部５０６に出力する。エネルギー逆拡散部５０６では、エネルギー逆拡散が行われることにより元のＴＳ形式のデジタル信号Ｄに戻され、出力端子５０８に出力される。出力端子５０８に出力されたＴＳ形式のデジタル信号Ｄは、ＭＰＥＧデコーダ２１３に出力される。
【００２０】
以上のように、受信側装置において、シングルＱＡＭ方式の場合、復調モード、伝送ビットレート、デインターリーブ処理の有無、誤り訂正処理の有無が操作パネルで設定され、この設定された伝送パラメータに従ってシングルＱＡＭ方式処理部２０７は動作する。なお、復調モード、伝送ビットレート、デインターリーブ処理の有無、誤り訂正処理の有無は、操作パネル２０１のプリセット調整ツマミにより一括して設定され、操作パネル２０１の表示部に表示される（プリセット調整ツマミ、表示部については、後述する）。この表示により、伝送パラメータの設定の際、表示部に表示された伝送パラメータを送信側装置で設定された伝送パラメータと一致させるように扱者は設定する。
【００２１】
また、先に説明したように、直交復調部は、操作パネル２０１で設定された復調モードで直交変調された信号を同相成分のＩ信号と直交成分のＱ信号に復調するが、非特許文献２（テレビジョン放送番組素材伝送用可搬形マイクロ波帯デジタル無線伝送システムの規格ＡＲＩＢ  ＳＴＤ−Ｂ１１）では、送信側装置の変調モード等の情報を有するＴＭＣＣ信号（Transmission and Multiplexing Configuration Control）をＴＳ形式のデジタル信号Ｄ（以下、ＴＳ信号と称する）に含めて送信されるように規定されていることにより、ＴＳ信号からＴＭＣＣ信号を識別することによって得た変調モード（受信側装置の復調モードは送信側装置の変調モードと同じである）に従って、同相成分のＩ信号と直交成分のＱ信号に復調するようにしてもよい。更に、このＴＭＣＣ信号は、変調モード以外にも、伝送ビットレート、インターリーブ処理の有無、誤り訂正符号の付加の有無の情報も重畳されるため、ＣＰＵ２０２にＴＭＣＣ信号を伝送することにより、ＴＭＣＣ信号に重畳された情報に従って、シングルＱＡＭ方式処理部２０７を動作させるよう制御すると共に、操作パネル２０１の表示部に復調モード情報、伝送ビットレート情報、デインターリーブ処理の有無情報、誤り訂正処理の有無情報を表示させるようにしてもよい（表示部については、後述する）。
【００２２】
ＯＦＤＭ方式処理部２０８は、直交復調部６０１、ガードインターバル検出部６０２、ＦＦＴ（Fast Fourier Transform）部６０３、波形等化部６０４、デインターリーブ部６０５、復号化部６０６、エネルギー逆拡散部６０７、デスクランブル部６０８より構成されている。Ａ／Ｄコンバータ２１２より出力されたＩＦ信号が入力端子６０９より入力された後、直交復調部６０１に入力される。直交復調部６０１は、ＣＰＵ２０２の制御により操作パネル２０１で設定されたキャリア復調モードに従って、直交変調部４０９で直交変調された信号を同相成分のＩ信号と直交成分のＱ信号に復調してガードインターバル検出部６０２に出力する。例えば、キャリア復調モードが６４ＱＡＭの場合、６４ＱＡＭで復調することで得た同相成分のＩ信号と直交成分のＱ信号をガードインターバル検出部６０２に出力する。ガードインターバル検出部６０２は、操作パネル２０１で設定されたガードインターバル比に従って、ＣＰＵ２０２の制御によりガード相関処理を行わせることで、時間軸波形の各有効シンボルの先頭を検出してＦＦＴ部６０３に出力する。例えば、ガードインターバル比が１／８のとき、Ｉ信号とＩ信号を有効シンボル（ガードインターバル長の８倍）遅延させた信号との相関値、もしくはＱ信号とＱ信号を有効シンボル（ガードインターバル長の８倍）遅延させた信号との相関値に基づいて、時間軸波形の各有効シンボルの先頭を検出してＦＦＴ部６０３に出力する。なお、相関値に基づく有効シンボルの先頭の検出については、例えば、特許文献１（特開２００３−１１５７８７号公報）に記載されていることにより公知である。ＦＦＴ部６０３は有効シンボル毎に高速フーリエ変換を行い、波形等化部６０４は、送信側装置から受信側装置への伝送路の特性や減衰によって発生する伝送信号の波形の歪を除去するための波形等化を行う。この波形等化部６０４は、一般にデジタルフィルタで構成される。波形等化後、デインターリーブ部６０５は、操作パネル２０１でデインターリーブ処理を行わせるように設定されたとき、ＣＰＵ２０２の制御によりデインターリーブ処理を行うことで、送信側装置のインターリーブ部４０４でインターリーブされる前の信号配列に戻し、復号化部６０６に出力する。逆に、操作パネル２０１でデインターリーブ処理を行わないように設定されたとき、ＣＰＵ２０２の制御によりデインターリーブ処理を行わずに復号化部６０６に出力する。復号化部６０６は、ＣＰＵ２０２の制御により操作パネル２０１で設定された符号化率で送信側装置の符号化部４０３により付加された畳み込み符号を用いて誤り訂正を行って、エネルギー拡散部６０７に出力する。エネルギー逆拡散部６０７はエネルギー逆拡散を行い、デスクランブル部６０８に出力する。デスクランブル部６０８は、操作パネル２０１でデスクランブル処理するように設定されたとき、ＣＰＵ２０２の制御によりデスクランブル解除が行われることで、元のＴＳ信号に戻され、出力端子６１０に出力される。逆に、操作パネル２０１でデスクランブル処理を行わないように設定されたとき、ＣＰＵ２０２の制御によりデスクランブル処理を行わないで出力端子６１０に出力される。デスクランブル処理を行わずに出力さ��た場合も、前段のエネルギー逆拡散部６０７で元のＴＳ信号に戻される。出力端子６１０に出力されたＴＳ信号は、ＭＰＥＧデコーダ２１３に出力される。
【００２３】
以上のように、受信側装置において、ＯＦＤＭ方式の場合、復調モード、ガードインターバル比、デインターリーブ処理の有無、符号化率、デスクランブル処理の有無が操作パネルで設定され、この設定された伝送パラメータに従ってＯＦＤＭ方式処理部２０８は動作する。なお、復調モード、ガードインターバル比、デインターリーブ処理の有無、符号化率、スクランブル処理の有無は、操作パネル２０１のプリセット調整ツマミにより一括して設定され、操作パネル２０１の表示部に表示される（プリセット調整ツマミ、表示部については、後述する）。この表示により、伝送パラメータの設定の際、表示部に表示された伝送パラメータを送信側装置で設定された伝送パラメータと一致させるように扱者は設定する。
【００２４】
アナログ方式処理部２０９は、アナログＦＭ復調部で構成されており、アナログＦＭ復調部は例えば周波数１３０ＭＨｚのＩＦ信号をＦＭ復調することで、ＮＴＳＣ映像信号とアナログ音声信号に変換して出力する。なお、アナログ方式処理部２０９の場合、チャンネル等の伝送パラメータは操作パネル２０１で設定されると共に表示されるものの、シングルＱＡＭ方式、ＯＦＤＭ方式の様に、操作パネル２０１のプリセット調整ツマミにより一括して設定される伝送パラメータは存在しない（プリセット調整ツマミについては、後述する）。
【００２５】
前述の送信側装置、受信側装置の各信号処理部（シングルＱＡＭ方式処理部１０７、２０７、ＯＦＤＭ方式処理部１０８、２０８、アナログ方式処理部１１０、２０９）の構成、動作説明より、シングルＱＡＭ方式、ＯＦＤＭ方式の場合、各操作パネルのプリセット調整ツマミで一括して設定された伝送パラメータが各操作パネルの表示部に表示されるため、扱者は表示部を見ながら伝送パラメータの設定を行う。しかし、表示部の表示スペースは限られていることにより、シングルＱＡＭ方式、ＯＦＤＭ方式、いずれの場合においても、プリセット調整ツマミで設定された伝送パラメータを全て一度に表示するのではなく、表示する伝送パラメータを切り換えるスイッチを操作することで、表示させている。以下、操作パネルへの伝送パラメータの表示方法について、説明する。
【００２６】
まず、送信側装置の場合で説明する。送信側装置の操作パネルは、図８の通り、表示部８０１と、表示部８０１の表示項目を切り換えるＵＰスイッチ８０２及びＤＯＷＮスイッチ８０３と、プリセット調整ツマミ８０４等複数の調整ツマミを有している。伝送パラメータ設定時において、表示部８０１に伝送パラメータを表示させることにより、扱者は表示部８０１を見ながらプリセット調整ツマミ８０４等の調整ツマミを操作して、伝送パラメータの設定を行う。なお、表示部８０１の表示スペースが限られていることにより、表示されない伝送パラメータがある場合、ＵＰスイッチ８０２、ＤＯＷＮスイッチ８０３に対して所定の操作を行ったときに表示させることで、表示部８０１の表示内容を切り換えながら伝送パラメータの設定を行う。受信側装置の操作パネルも同様にして、図９の通り、表示部９０１と、表示部９０１の表示内容を切り換えるＵＰスイッチ９０２及びＤＯＷＮスイッチ９０３と、プリセット調整ツマミ９０４等複数の調整ツマミを有している。伝送パラメータ設定時において、表示部９０１に伝送パラメータを表示させることにより、扱者は表示部９０１を見ながら調整ツマミ９０４等の調整ツマミを操作して、伝送パラメータの設定を行う。なお、表示部９０１の表示スペースが限られていることにより、表示されない伝送パラメータがある場合、ＵＰスイッチ９０２、ＤＯＷＮスイッチ９０３に対して所定の操作を行ったときに表示させることで、表示部９０１の表示内容を切り換えながら伝送パラメータの設定を行う。
【００２７】
なお、本実施例の伝送装置の場合、伝送パラメータは、図１０の通り、例えば電源を立ち上げたときに、所定の基本的な伝送パラメータを表示する表示画面（以下、初期状態表示画面１００１と称する）と、伝送パラメータの詳細を表示する伝送パラメータ詳細表示画面１００２、１００３で切換表示される。初期状態表示画面１００１だけでは表示部８０１、９０１の表示スペースが限られていることにより伝送パラメータを表示しきれないため、初期状態表示画面１００１で表示されなかった伝送パラメータを伝送パラメータ詳細表示画面１００２、１００３で表示する。なお、送信側装置ではＵＰスイッチ８０２の操作、受信側装置ではＵＰスイッチ９０２の操作により初期状態表示画面１００１から伝送パラメータ詳細表示画面１００２、１００３に切り換えられる。
【００２８】
以下、初期状態表示画面１００１、伝送パラメータ詳細表示画面１００２、１００３で表示する伝送パラメータについて説明する。まず、シングルＱＡＭ方式の場合での初期状態表示画面１００１、伝送パラメータ詳細表示画面１００２での表示項目について説明する。初期状態表示画面１００１において、送信側装置の表示部８０１、受信側装置の表示部９０１には、図１１（Ａ）、（Ｂ）の通り、伝送モード調整ツマミ８０５（受信側装置では、伝送モード調整ツマミ９０５）でＱＡＭ方式に伝送モードが設定されたとき、この伝送モードが表示されるだけでなく、送信側装置では操作パネル１０１のプリセット調整ツマミ８０４、受信側装置では操作パネル２０１のプリセット調整ツマミ９０４で一括して設定された伝送パラメータの内、伝送ビットレート、変調モード（受信側装置では、復調モード）、誤り訂正符号付加の有無（受信側装置では、誤り訂正処理の有無）、ダミーデータ挿入の有無（前述のシングルＱＡＭ方式処理部の構成、動作説明より、伝送ビットレートによってダミーデータ挿入の有無が決まる）が表示される。図１１（Ａ）は、シングルＱＡＭ方式の場合での初期状態表示画面１００１の表示項目を示す図、図１１（Ｂ）は、シングルＱＡＭ方式の場合での初期状態表示画面１００１の表示例を示す図である。なお、初期状態表示画面１００１では表示領域を３分割しており、プリセット調整ツマミ８０４、９０４で一括して設定される伝送パラメータの内、伝送ビットレートは左側の表示部１１０１に、変調モード（受信側装置では、復調モード）、誤り訂正符号付加の有無（受信側装置では、誤り訂正処理の有無）、ダミーデータ挿入の有無は中央の表示部１１０２に表示される。プリセット調整ツマミ８０４、９０４で一括して設定された伝送パラメータの内、初期状態表示画面１００１に表示されない伝送パラメータであるインターリーブ処理の有無（受信側装置では、デインターリーブ処理の有無）は、伝送パラメータ詳細表示画面１００２に表示される。なお、インターリーブ処理の有無（受信側装置では、デインターリーブ処理の有無）の表示に関し、プリセット調整ツマミ８０４、９０４で設定されたものを表示する以外に、前述のシングルＱＡＭ方式処理部の構成、動作説明に記載の通り、伝送ビットレート情報、インターリーブ処理有無情報、誤り訂正符号付加有無情報等が重畳されたＴＭＣＣ信号のパターンを表示する場合が有り、本実施例では、図１２（Ａ）、（Ｂ）の通り、ＴＭＣＣ信号のパターンを表示している。図１２（Ａ）は、シングルＱＡＭ方式の場合での伝送パラメータ詳細表示画面１００２の表示項目を示す図、図１２（Ｂ）は、シングルＱＡＭ方式の場合での伝送パラメータ詳細表示画面１００２の表示例を示す図である。図１２（Ｂ）は、０と１により伝送パラメータの情報が各ビットに表示され、ビット毎に表示する伝送パラメータが異なると共に所定数のビットを有するデータであるＴＭＣＣ信号のパターンが表示部に表示された状態を示している。各ビットが示す伝送パラメータは、図１３の通り、非特許文献２（テレビジョン放送番組素材伝送用可搬形マイクロ波帯デジタル無線伝送システムの規格ＡＲＩＢ  ＳＴＤ−Ｂ１１）に規定されている���め、インターリーブ処理の有無（受信側装置では、デインターリーブ処理の有無）だけでなく、伝送ビットレート情報、変調モード情報（受信側装置では、復調モード情報）、誤り訂正符号付加有無情報（受信側装置では、誤り訂正処理有無情報）、ダミーデータ挿入有無情報（伝送ビットレートに応じて、ダミーデータ挿入の有無が決まっている）についても表示している。
【００２９】
なお、図１１（Ｂ）は、プリセット調整ツマミで設定されたプリセット値が２のときの伝送パラメータである伝送ビットレート、変調モード（受信側装置では、復調モード）、誤り訂正符号付加の有無（受信側装置では、誤り訂正処理の有無）、ダミーデータ挿入の有無を示した表示例であり、図１２（Ｂ）は、プリセット調整ツマミで設定されたプリセット値が２のときの伝送パラメータである伝送ビットレート情報、変調モード情報（受信側装置では、復調モード情報）、誤り訂正符号の付加有無情報（受信側装置では、誤り訂正処理有無情報）、ダミーデータ挿入有無情報、インターリーブ処理有無情報（受信側装置では、デインターリーブ処理有無情報）を示した表示例である。
【００３０】
そして、プリセット値に応じて伝送ビットレート、変調モード（受信側装置では、復調モード）、誤り訂正符号付加の有無（受信側装置では、誤り訂正処理の有無）、ダミーデータ有無、インターリーブ処理有無（受信側装置では、デインターリーブ処理有無）が決まっており、プリセット値と伝送ビットレートとの関係、プリセット値と変調モード（受信側装置では、復調モード）との関係、プリセット値と誤り訂正符号付加有無（受信側装置では、誤り訂正処理有無）との関係、プリセット値とダミーデータ有無との関係、プリセット値とインターリーブ処理有無（受信側装置では、デインターリーブ処理有無）との関係のデータテーブルを、送信側装置ではＣＰＵ１０２が、受信側装置ではＣＰＵ２０２が有している。このデータテーブルを用いることにより、プリセット調整ツマミ８０４の設定状態（プリセット値）に応じた伝送ビットレート、変調モード、誤り訂正符号付加有無、ダミーデータ有無、インターリーブ処理有無を示すデータを、送信側装置ではＣＰＵ１０２が表示部８０１に表示させるように制御する。受信側装置も同様にして、前述のデータテーブルを用いることにより、プリセット調整ツマミ９０４の設定状態（プリセット値）に応じた伝送ビットレート、復調モード、誤り訂正処理有無、ダミーデータ有無、デインターリーブ処理有無を示すデータを、ＣＰＵ２０２が表示部９０１に表示させるように制御する。
【００３１】
更に、図１０に示すように、初期状態表示画面１００１が表示されている状態で、送信側装置ではＵＰスイッチ８０２を、受信側装置ではＵＰスイッチ９０２を操作したとき、伝送パラメータ詳細表示画面１００２に切り換わるだけでなく、伝送パラメータ詳細表示画面１００２が表示されている状態で、送信側装置ではＤＯＷＮスイッチ８０３を、受信側装置ではＤＯＷＮスイッチ９０３を操作したとき、初期状態表示画面１００１に戻る。また、伝送パラメータ詳細表示画面１００２が表示されている状態で、送信側装置ではＵＰスイッチ８０２とＤＯＷＮスイッチ８０３を、受信側装置ではＵＰスイッチ９０２とＤＯＷＮスイッチ９０３を同時に操作したときも、初期状態表示画面１００１に戻る。
【００３２】
なお、この表示の切換は、送信側装置、受信側装置の夫々のＵＰスイッチ８０２、９０２、夫々のＤＯＷＮスイッチ８０３、９０３の操作に応じて、ＣＰＵ１０２、２０２は操作パネル１０１の表示部８０１、操作パネル２０１の表示部９０１を夫々制御することにより行っている。
【００３３】
次に、ＯＦＤＭ方式の場合での初期状態表示画面１００１、伝送パラメータ詳細表示画面１００３での伝送パラメータの具体的表示内容について説明する。初期状態表示画面１００１において、送信側装置の表示部８０１、受信側装置の表示部９０１には、図１１（Ｃ）、（Ｄ）の通り、伝送モード調整ツマミ８０５（受信側装置では、伝送モード調整ツマミ９０５）でＯＦＤＭ方式に伝送モードが設定されたとき、この伝送モードが表示されるだけでなく、送信側装置では操作パネル１０１のプリセット調整ツマミ８０４、受信側装置では操作パネル２０１のプリセット調整ツマミ９０４で一括して設定された伝送パラメータの内、伝送ビットレート、キャリア変調モード（受信側装置では、キャリア復調モード）、符号化率、インターリーブ時間が表示される。図１１（Ｃ）は、ＯＦＤＭ方式の場合での初期状態表示画面１００１の表示項目を示す図、図１１（Ｄ）は、ＯＦＤＭ方式の場合での初期状態表示画面１００１の表示例を示す図である。なお、初期状態表示画面１００１では表示領域を３分割しており、プリセット調整ツマミ８０４、９０４で一括して設定される伝送パラメータの内、伝送ビットレートは左側の表示部１１０１に、キャリア変調モード（受信側装置では、キャリア復調モード）、符号化率、インターリーブ時間は中央の表示部１１０２に表示される。プリセット調整ツマミ８０４、９０４で一括して設定された伝送パラメータの内、初期状態表示画面１００１に表示されない伝送パラメータであるスクランブル処理有無（受信側装置では、デスクランブル処理有無）、ガードインターバル比、ＡＣキャリア有無、ＣＰキャリア有無は、伝送パラメータ詳細表示画面１００３に表示される。なお、初期状態表示画面１００１で表示されない伝送パラメータを表示する際、表示部８０１、９０１の表示スペースは限られていることにより、初期状態表示画面１００１で表示されない伝送パラメータを全て一度に表示するのではなく、ＵＰスイッチ８０２、９０２を操作することにより伝送パラメータの表示項目を切り換えることで、表示させている。初期状態表示画面１００１が表示されている状態でＵＰスイッチ８０２、９０２を操作したとき、図１４（Ａ）、（Ｂ）の通り、スクランブル処理の有無、ガードインターバル比が表示される。図１４（Ａ）は、ＯＦＤＭ方式の場合での伝送パラメータ詳細表示画面１００３Ａの表示項目を示す図、図１４（Ｂ）は、ＯＦＤＭ方式の場合での伝送パラメータ詳細表示画面１００３Ａの表示例を示す図である。更に、ＵＰスイッチを操作したとき、図１４（Ｃ）、（Ｄ）の通り、ＡＣキャリアの有無、ＣＰキャリアの有無が表示される。図１４（Ｃ）は、ＯＦＤＭ方式の場合での伝送パラメータ詳細表示画面１００３Ｂの表示項目を示す図、図１４（Ｄ）は、ＯＦＤＭ方式の場合での伝送パラメータ詳細表示画面１００３Ｂの表示例を示す図である。
【００３４】
なお、図１１（Ｄ）は、プリセット調整ツマミ８０４、９０４で設定されたプリセット値が２のときの伝送パラメータである伝送ビットレート、キャリア変調モード、符号化率、インターリーブ時間の表示例である。図１４（Ｂ）は、プリセット調整ツマミ８０４、９０４で設定されたプリセット値が２のときの伝送パラメータであるスクランブル処理有無（受信側装置ではデスクランブル処理有無）、ガードインターバル比を示す表示例である。図１４（Ｄ）は、プリセット調整ツマミ８０４、９０４で設定されたプリセット値が２のときの伝送パラメータであるＡＣキャリア有無、ＣＰキャリア有無を示す表示例である。
【００３５】
そして、プリセット値に応じて伝送ビットレート、キャリア変調モード（受信側装置では、キャリア復調モード）、符号率、インターリーブ時間、スクランブル処理有無（受信側装置では、デスクランブル処理有無）、ガードインターバル比、ＡＣキャリア有無、ＣＰキャリア有無が決まっており、プリセット値と伝送ビットレートとの関係、プリセット値とキャリア変調モード（受信側装置では、キャリア復調モード）との関係、プリセット値と符号化率との関係、プリセット値とインターリーブ時間との関係、プリセット値とスクランブル処理有無（受信側装置では、デインターリーブ処理有無）との関係、プリセット値とガードインターバル比との関係、プリセット値とＡＣキャリア有無との関係、プリセット値とＣＰキャリア有無とのデータテーブルを、送信側装置ではＣＰＵ１０２が、受信側装置ではＣＰＵ２０２が有している。このデータテーブルを用いることにより、プリセット調整ツマミ８０４の設定状態に応じた伝送ビットレート、キャリア変調モード、符号化率、インターリーブ時間、スクランブル処理有無、ガードインターバル比、ＡＣキャリア有無、ＣＰキャリア有無を、送信側装置ではＣＰＵ１０２が表示部８０１に表示させるように制御する。受信側装置も同様にして、前述のデータテーブルを用いることにより、プリセット調整ツマミ９０４の設定状態に応じた伝送ビットレート、キャリア復調モード、符号化率、インターリーブ時間、スクランブル処理有無、ガードインターバル比、ＡＣキャリア有無、ＣＰキャリア有無を、ＣＰＵ２０２が表示部９０１に表示させるように制御する。
【００３６】
更に、図１０に示すように、初期状態表示画面１００１が表示されている状態でＵＰスイッチ８０２、９０２を操作したとき図１４（Ｂ）に示す伝送パラメータ詳細表示画面１００３Ａに、図１４（Ｂ）に示す伝送パラメータ詳細表示画面１００３Ａが表示されている状態でＵＰスイッチ８０２、９０２を操作したとき図１４（Ｄ）に示す伝送パラメータ詳細表示画面１００３Ｂに切り換わる。逆に、図１４（Ｄ）に示す伝送パラメータ詳細表示画面１００３Ｂが表示されている状態で送信側装置ではＤＯＷＮスイッチ８０３を、受信側装置ではＤＯＷＮスイッチ９０３を操作したとき、図１４（Ｂ）に示す伝送パラメータ詳細表示画面１００３Ａに、図１４（Ｂ）に示す伝送パラメータ詳細表示画面１００３Ａが表示されている状態で送信側装置ではＤＯＷＮスイッチ８０３を、受信側装置ではＤＯＷＮスイッチ９０３を操作したとき、初期状態表示画面１００１に戻る。また、図１４（Ｂ）に示す伝送パラメータ詳細表示画面１００３Ａが表示されている状態もしくは図１４（Ｄ）に示す伝送パラメータ詳細表示画面１００３Ｂが表示されている状態で送信側装置ではＵＰスイッチ８０２とＤＯＷＮスイッチ８０３を、受信側装置ではＵＰスイッチ９０２とＤＯＷＮスイッチ９０３を同時に操作したときも、初期状態表示画面１００１に戻る。
【００３７】
なお、この表示の切換は、シングルＱＡＭ方式の場合と同様にして、送信側装置、受信側装置の夫々のＵＰスイッチ８０２、９０２、夫々のＤＯＷＮスイッチ８０３、９０３の操作に応じて、夫々のＣＰＵ１０２、２０２が夫々の表示部１０１、２０１を制御することにより行う。
【００３８】
以上のように、本実施例の伝送装置において、シングルＱＡＭ方式の場合、プリセット調整ツマミ８０４、９０４で一括して設定される伝送パラメータの内、初期状態表示画面１００１で表示される伝送パラメータは、伝送ビットレート、変調モード（受信側装置では、復調モード）、誤り訂正符号付加有無（受信側装置では、誤り訂正処理有無）、ダミーデータの挿入有無であり、伝送パラメータ詳細表示画面１００２において表示されるデータが示す伝送パラメータは、伝送ビットレート、変調モード（受信側装置では、復調モード）、誤り訂正符号付加有無（受信側装置では、誤り訂正処理有無）、ダミーデータ挿入有無、インターリーブ処理有無（受信側装置では、デインターリーブ処理有無）を示すデータである。一方、ＯＦＤＭ方式の場合、プリセット調整ツマミ８０４、９０４で一括して設定される伝送パラメータの内、初期状態表示画面１００１で表示される伝送パラメータは、伝送ビットレート、キャリア変調モード（受信側装置では、キャリア復調モード）、符号化率、インターリーブ時間であり、伝送パラメータ詳細表示画面１００３で表示される伝送パラメータは、スクランブル処理有無（受信側装置では、デスクランブル処理有無）、ガードインターバル比、ＡＣキャリア有無、ＣＰキャリア有無である。ただし、スクランブル処理有無（受信側装置では、デスクランブル処理有無）、ガードインターバル比、ＡＣキャリア有無、ＣＰキャリア有無を全て一度に表示するのではなく、ＵＰスイッチ８０２、９０２を操作することで初期状態表示画面１００１から伝送パラメータ詳細表示画面１００３Ａに切り換えられたとき、スクランブル処理有無（受信側装置では、デスクランブル処理有無）、ガードインターバル比を表示し、更にＵＰスイッチを操作することで表示画面が伝送パラメータ詳細表示画面１００３Ｂに切り換えられたとき、ＡＣキャリア有無、ＣＰキャリア有無を表示する。
【００３９】
なお、初期状態表示画面、伝送パラメータ詳細表示画面で表示する伝送パラメータは、上記実施例に限定されるものではなく、初期状態表示画面、伝送パラメータ詳細表示画面で表示する伝送パラメータが本実施例と異なるようにしても良いことはいうまでもない。ＵＰスイッチ、ＤＯＷＮスイッチの操作に応じて、表示する伝送パラメータが切り換わるようにすれば良い。
【００４０】
以上のように、本実施例の伝送装置では、プリセット調整ツマミで一括して設定された伝送パラメータを表示するが、伝送パラメータ以外にも、送信側装置と受信側装置との通信不良状態（以下、エラーと称する）に関する情報、送信側装置、受信側装置内のユニットの不具合状態（以下、アラームと称する）に関する情報も表示する。具体的には、如何なるエラー、アラームが発生したか（以下、エラー内容、アラーム内容と称する）を示すデータと、現在までに発生したエラー内容、アラーム内容（以下、エラー履歴、アラーム履歴と称する）を表示する。以下、エラー内容、アラーム内容に関する表示について説明する。
【００４１】
エラー、アラームに関する情報で、図１０の通り、初期状態表示画面１００１で送信側装置ではＵＰスイッチ８０２とＤＯＷＮスイッチ８０３とを、受信側装置ではＵＰスイッチ９０２とＤＯＷＮスイッチ９０３とを同時に操作したとき、最新のエラー内容、アラーム内容に関するデータを表示する。エラー内容、アラーム内容に関するデータとは、図１５（Ｂ）の通り、０と１によりエラー、アラームの有無が各ビットに表示され、ビット毎に表示するエラー内容、アラーム内容が異なると共に所定数のビットを有するデータである。このデータが表示されている状態で送信側装置ではＵＰスイッチ８０２を、受信側装置ではＵＰスイッチ９０２を操作すると、図１５（Ｄ）の通り、エラー履歴、アラーム履歴を表示する。
【００４２】
しかし、送信側装置、受信側装置共、表示部８０１、９０１の表示スペースが限られていることにより、エラー、アラームの発生回数が多くなると、エラー履歴、アラーム履歴を一括して表示させることができない。そこで、エラー履歴、アラーム履歴を表示する際、図１５（Ｃ）の通り、エラー、アラームの合計発生回数が４回以上ならば、エラー内容、アラーム内容の内の３つを表示し、エラー、アラームの合計発生回数が３回以下ならば、全てのエラー内容、アラーム内容を表示する。そして、エラー、アラームの合計発生回数が４回以上である場合、送信側装置ではＵＰスイッチ８０２を、受信側装置ではＵＰスイッチ９０２を操作することにより、ＵＰスイッチ８０２、９０２を操作する前に表示されなかったエラー内容、アラーム内容を表示する。なお、これらの表示されなかったエラー内容、アラーム内容を表示するにあたり、その総数が４以上であるのならば、エラー内容、アラーム内容の内の３つを表示し、逆に総数が３以下であるのならば、全てのエラー内容、アラーム内容を表示する。そして、総数が４以上である場合、送信側装置ではＵＰスイッチ８０２を、受信側装置ではＵＰスイッチ９０２を操作することにより、表示されなかったエラー内容、アラーム内容を表示する。以下、表示されないエラー内容、アラーム内容がある場合、送信側装置ではＵＰスイッチ８０２を、受信側装置ではＵＰスイッチ９０２を操作することにより、まだ表示されていないエラー内容、アラーム内容を表示させるようにする。
【００４３】
以上、ＵＰスイッチ８０２、９０２を操作することでエラー内容、アラーム内容の表示を切り換えることについて説明したが、送信側装置ではＤＯＷＮスイッチ８０３、受信側装置ではＤＯＷＮスイッチ９０３を操作することによっても、エラー内容、アラーム内容の表示を切り換えることができる。ただし、ＵＰスイッチ８０２、９０２を操作した場合とは逆の順序で表示が切り換わる。即ち、ＵＰスイッチ８０２、９０２を操作した場合、古いエラー内容、アラーム内容を表示するように切り換えるのに対し、ＤＯＷＮスイッチ８０３、９０３を操作した場合、新しいエラー内容、アラーム内容を表示するように切り換える。なお、図１５（Ｃ）に示す表示内容が最新の表示内容である。
【００４４】
また、図１５（Ａ）の通り、エラー内容、アラーム内容に関するデータが表示されている場合にＵＰスイッチ８０２、９０２を操作すると、図１５（Ｃ）の通り、最新のエラー内容、アラーム内容を表示するが、最新のエラー内容、アラーム内容が表示されている場合にＤＯＷＮスイッチ８０３、９０３を操作すると、図１５（Ａ）の通り、エラー内容、アラーム内容に関するデータが表示される状態に戻る。更にまた、図１５（Ａ）の通り、エラー内容、アラーム内容に関するデータが表示されている状態、もしくはエラー内容、アラーム内容（図１５（Ｃ）に示す最新のエラー内容、アラーム内容でなくてもよい）が表示された状態で、送信側装置ではＵＰスイッチ８０２とＤＯＷＮスイッチ８０３とを、受信側装置ではＵＰスイッチ９０２とＤＯＷＮスイッチ９０３とを同時に操作したとき、初期状態表示画面１００１に戻る。
【００４５】
なお、表示の切換は、前述の伝送パラメータの表示画面を切り換える場合と同様にして、送信側装置、受信側装置の夫々のＵＰスイッチ８０２、９０２、夫々のＤＯＷＮスイッチ８０３、９０３の操作に応じて、夫々のＣＰＵ１０２、２０２が夫々の表示部８０１、９０１を制御することにより行う。
【００４６】
図１５（Ｂ）はエラー内容、アラーム内容に関するデータの表示例であり、この表示例の場合、エラー内容、アラーム内容を示す各ビットの値が０のときが正常、１のときが異常であることにより、アラームは発生していないものの、３種類のエラーが発生していることを示している。なお、両データ（エラー内容を示すデータとアラーム内容を示すデータ）の各ビットとエラー内容、アラーム内容との関係のデータテーブルを送信側装置ではＣＰＵ１０２が、受信側装置ではＣＰＵ２０２が有している。このデータテーブルを用いることにより、検出したエラー、アラームに応じたデータを、送信側装置ではＣＰＵ１０２が表示部８０１に表示させるように制御する（エラー、アラームの検出については、後述する）。受信側装置も同様にして、前述のデータテーブルを用いることにより、検出したエラー、アラームに応じたデータを、ＣＰＵ２０２が表示部９０１に表示させるように制御する（エラー、アラームの検出については、後述する）。
【００４７】
主なエラー内容として、送信側装置ではＭＰＥＧエンコーダ１０９で映像信号、音声信号からのＴＳ信号の生成が行えなかったとき、受信側装置ではＭＰＥＧデコーダ２１３でＴＳ信号から映像信号、音声信号の生成が行えなかったときに発生するコーデックエラー、受信側装置で受信信号の誤り率が大きいことにより復号化部５０５、６０６で誤り訂正できなかったときに発生するデータエラー、受信側装置で受信信号を受信されない未受信エラーがある。コーデックエラーは、送信側装置ではＣＰＵ１０２がＭＰＥＧエンコーダ１０９の動作を監視することにより、受信側装置ではＣＰＵ２０２がＭＰＥＧデコーダ２１３の動作を監視することにより、検出する。データエラーは、受信側装置でＣＰＵ２０２が復号化部５０５、６０６の動作を監視することにより検出する。未受信エラーは、受信側装置でＣＰＵ２０２が直交復調部５０１、６０１への入力信号の有無を監視することにより検出する。
【００４８】
主なアラーム内容として、送信側装置では送信高周波部への電源供給断、受信側装置では受信高周波部への電源供給断がある。電源供給断であるか否かは、送信側装置ではＣＰＵ１０２が電源回路１１５の動作を監視することにより、受信側装置ではＣＰＵ９３ｂが電源回路２１５の動作を監視することにより検出する。
【００４９】
図１５（Ｄ）は５回目から７回目までのエラー内容、アラーム内容が表示されていて、５回目と７回目にコーデックエラーが発生していて６回目にデータエラーが発生している場合の表示例である。前述の通り、ＵＰスイッチ８０２、９０２、ＤＯＷＮスイッチ８０３、９０３の操作に応じて表示するエラー内容、アラーム内容を切り換えるために、その他のエラー内容、アラーム内容について、送信側装置ではＣＰＵ１０２が、受信側装置ではＣＰＵ２０２が記憶している。そして、新たなエラー、アラームが発生するたび、発生したエラー内容、アラーム内容を記憶容量範囲内にある限り、記憶する。
【００５０】
以上のように、本実施例の伝送装置では、初期状態表示画面が表示された状態のとき、ＵＰスイッチとＤＯＷＮスイッチとを同時に操作すると、エラー内容、アラーム内容を示すデータが表示され、更に、ＵＰスイッチを操作したとき、エラー履歴、アラーム履歴が表示される。従って、伝送パラメータだけでなく、エラー内容、アラーム内容についても表示される。
【００５１】
なお、本実施例の伝送装置では、エラー内容、アラーム内容の両方について表示しているが、これに限定されるものではなく、エラー内容、アラーム内容の少なくとも一方を表示させるようにしても良い。
【００５２】
更に、本実施例の伝送装置は、図１０の通り、ＵＰスイッチ、ＤＯＷＮスイッチの操作に応じて表示内容を切り換えることにより、伝送パラメータ、エラー内容、アラーム内容以外に、横画素数、縦画素数等のＭＰＥＧビデオフォーマット情報、無線伝送する放送素材のコード情報、放送素材がＴＳ信号として伝送される際の映像信号が重畳されるパケットのコード情報、音声信号が重畳されるパケットのコード情報を表示する。また、例えば、複数の本実施例の伝送装置とパソコンをＬＡＮ接続した際、各伝送装置のＬＡＮ  ＩＤ（ＩＰアドレス、ポート番号）も表示する。
【図面の簡単な説明】
【００５３】
【図１】本発明の一実施例である送信側伝送装置の構成を示すブロック図。
【図２】本発明の一実施例である受信側伝送装置の構成を示すブロック図。
【図３】本発明の一実施例である送信側伝送装置のシングルＱＡＭ方式処理部の構成を示すブロック図。
【図４】本発明の一実施例である送信側伝送装置のＯＦＤＭ方式処理部の構成を示すブロック図。
【図５】本発明の一実施例である受信側伝送装置のシングルＱＡＭ方式処理部の構成を示すブロック図。
【図６】本発明の一実施例である受信側伝送装置のＯＦＤＭ方式処理部の構成を示すブロック図。
【図７】標準規格ＡＲＩＢ  ＳＴＤ−Ｂ１１で規定されている伝送装置の伝送ビットレートとスタッフィングデータ（ダミーデータ）の有無の関係を示す図。
【図８】本発明の一実施例である送信側伝送装置の操作パネルの外観図。
【図９】本発明の一実施例である受信側伝送装置の操作パネルの外観図。
【図１０】本発明の一実施例である伝送装置における表示部の表示内容を示す図。
【図１１】本発明の一実施例である伝送装置において、初期状態表示画面に設定したときの表示部の表示項目及び表示例を示す図。
【図１２】本発明の一実施例である伝送装置において、シングルＱＡＭ方式で伝送パラメータ詳細表示画面に設定したときの表示部の表示項目及び表示例を示す図。
【図１３】標準規格ＡＲＩＢ  ＳＴＤ−Ｂ１１で規定されているＴＭＣＣ信号の情報ビット配列を示す図。
【図１４】本発明の一実施例である伝送装置において、ＯＦＤＭ方式で伝送パラメータ詳細表示画面に設定したときの表示部の表示項目及び表示例を示す図。
【図１５】本発明の一実施例である伝送装置において、エラー／アラーム内容を表示する画面に設定したときの表示部の表示項目及び表示例を示す図
【図１６】従来の一例である伝送装置の構成を示すブロック図。
【符号の説明】
【００５４】
１０１、２０１：操作パネル              １０２、２０２：ＣＰＵ
１０３、１０４、２０３、２０４：アナログ／デジタル選択スイッチ
１０５、１０６、２０５、２０６：シングルＱＡＭ／ＯＦＤＭ選択スイッチ
１０７、２０７：シングルＱＡＭ方式処理部
１０８、２０８：ＯＦＤＭ方式処理部
１０９：ＭＰＥＧエンコーダ              １１０、２０９：アナログ方式処理部
１１１：オーディオＡ／Ｄ         １１２、２１２：Ｄ／Ａコンバータ
１１３、２１１：局部発振器              １１４、２１０：送信高周波部
１１５、２１５：電源回路         ２１３：ＭＰＥＧデコーダ
２１４：オーディオＤ／Ａ         ３０１、４０２：エネルギー拡散部
３０２、４０３：符号化部         ３０３、４０４：インターリーブ部
３０４：スタッフィング挿入部            ３０５：ＱＡＭマッピング部
３０６、４０９：直交変調部              ３０７、４１０：入力端子
３０８、４１１：出力端子         ４０１：スクランブル処理部
４０５：マッピング部                    ４０６：フレーム生成部 
４０７：ＩＦＦＴ部               ４０８：ガード付加部
５０１、６０１：直交復調部              ５０２、６０４：波形等化部
５０３：スタッフィング除去部            ５０４、６０５：デインターリーブ部 
５０５、６０６：復号化部         ５０６、６０７：エネルギー逆拡散部 
５０７、６０９：入力端子         ５０８、６１０：出力端子
６０２：ガードインターバル検出部 ６０３：ＦＦＴ部 
６０８：デスクランブル部         ８０１、９０１：表示部
８０２、９０２：ＵＰスイッチ            ８０３、９０３：ＤＯＷＮスイッチ
８０４、９０４：プリセット調整ツマミ    ８０５：伝送モード調整ツマミ
９０５：伝送モード調整ツマミ            １００１：初期状態表示画面
１００２：シングルＱＡＭ方式伝送パラメータ詳細表示画面
１００３、１００３Ａ、１００３Ｂ：ＯＦＤＭ方式伝送パラメータ詳細表示画面
１１０１：左側の表示部           １１０２：中央の表示部
１１０３：右側の表示部           １６０１：送信制御部
１６０２：送信高周波部           １６０３：受信高周波部
１６０４：受信制御部                    
【図１】
2006254130.tif 000003
【図２】
2006254130.tif 000004
【図３】
2006254130.tif 000005
【図４】
2006254130.tif 000006
【図５】
2006254130.tif 000007
【図６】
2006254130.tif 000008
【図７】
2006254130.tif 000009
【図８】
2006254130.tif 000010
【図９】
2006254130.tif 000011
【図１０】
2006254130.tif 000012
【図１１】
2006254130.tif 000013
【図１２】
2006254130.tif 000014
【図１３】
2006254130.tif 000015
【図１４】
2006254130.tif 000016
【図１５】
2006254130.tif 000017
【図１６】
2006254130.tif 000018